(57)【要約】      （修正有）【課題】加工しやすく、陸上や漁業での作業の不便を解消し、経済性を向上したロープを提供する。【解決手段】ロープ組み紐のストラン１の中心に、水溶性樹脂等浸透芯ヤーン２を挿入し、乾燥させたロープ。【選択図】図１
2017053070.tif 000002
【特許請求の範囲】
【請求項１】
［図１］に図示の（６）単糸集合体芯は  （７）混合集糸束の様にヤーン撚り束  に作りますと撚りを掛けた分、重量は増し、体積は縮小して、引っ張り強度の向上も無く、以上を避ける為、紡績単糸等を図示の如くストラン内部に単糸を直接投入して、軽く太く脹らみ有る引っ張り強化ロープを目的の（６）単糸集合体芯。
【請求項２】
図示のストラン中心の（５）混合強力ポリエチレン等  に水溶性樹脂を付着  浸透の為に水溶性樹脂が付着  浸透し易いビニロン紡績糸エステルマルチ糸等と混合しての（５）混合強力ポリエチレン等  の案ですが  強力ポリエチレンには水溶性樹脂は殆ど付着  浸透しなく、ビニロン紡績糸エステルマルチ糸等を混合して、その混合本数の変化で水溶性樹脂の付着量の加減が可能な，（５）混合強力ポリエチレン等、の構成。
【請求項３】
３つ撚りロープの撚りピッチを長く甘くダラダラに太く脹らみを解消する為  水溶性樹脂、を付着  浸透した  （５）混合強力ポリエチレン等、をストラン３本の芯に挿入して３つ撚りロープに製綱して付着  浸透  樹脂  乾燥しての甘打ちダラダラ、太く脹らみ感の解消の  樹脂  付着の（５）混合強力ポリエチレン等  の構成。
【発明の詳細な説明】
【技術分野】
【０００１】本案は繊維ロープの撚りピッチを長く甘打ちに製綱して、軽く細くても強化と安全作業性経済性を得る目的。
【背景技術】
【０００２】従来の普通打ち（並打ち）ロープに比べ、撚りピッチを長く甘打に作る事でロープの長さは長く成り、重量は軽く成り、引っ張り強度は強化を得ますが、ダラダラ甘く太く膨らみ  安全作業性と商品価値の下落を防ぐ為に  水溶性樹脂等が付着浸透し易いビニロン紡績糸エステルマルチ糸等と混合の  混合強力ポリエチレン等（５）に水溶性樹脂等を付着  浸透してロープのストランの中心芯に挿入してのストラン３本を３つ撚りにピッチを長く製綱して混合強力ポリエチレン等（５）に付着  浸透  樹脂乾燥で甘くダラダラ太く脹らみ感の解消で細く軽く撚りピッチを長くした分ロープは長く成り更に引っ張り強化  耐光性  摩耗強化  経済性  安全作業性の向上。
【先行技術文献】
【０００３】
【特許文献１】特開  ２００７−２５４９４１号公報
【特許文献２】特開  ２０１５−０５９２７６号公報
【発明の概要】
【発明が解決しようとする課題】
【０００４】従来の普通打ち（並打ち）ロープの引っ張り強度に安全作業性  経済性を得る為に撚りピッチを長く甘く作る事で引っ張り強度強化と更に［図１］に示すロープストランドの外側面のビニロンと強化ポリエチレン、エステル糸等を混合しての  混合集糸束（７）多数束を外側面に  エステル集糸束（７の７）を引っ張り強化と耐光性  摩耗強化に１束外側面に構成  更に内面に単糸集合体芯（６）をロープを軽く太く強化を得る為に構成の中心に  強化と水溶性樹脂の付着  浸透を得る為の  混合強力ポリエチレン等（５）を構成してロープ強化  安全作業性  経済性の向上。
【課題を解決するための手段】
【０００５】ロープの，撚りピッチを長く甘く作りますと、ダラダラ、甘く、膨らみ感を解消する為、水溶性樹脂等を付着  浸透した  混合強力ポリエチレン等（５）をストランの中心に挿入したストラン３本を撚りピッチを長く３つ撚りに製綱して付着樹脂の乾燥にて甘くダラダラ太く脹らみ感を解消して  安全作業性  経済性の向上。
【発明の効果】
【０００６】ロープの撚りピッチを直径１０ｍｍの普通打ち（並打ち）ロープ、１００ｍを２０パーセント、ピッチを長くすれば約１２０ｍに重量も約６ｋｇが約４、８ｋｇに、引っ張り強度９９０ｋｇが１０００ｋｇ以上（約）を得ることで  軽く細くても強化  経済性  安全作業性を得ます。
【図面の簡単な説明】
【０００７】
【図１】３つ撚りロープの視斜図。
【発明を実施するための形態】
【０００８】本案は従来の並打（普通打）ロープを２０パセント  ピッチを長く甘く製鋼で軽く強くロープの長さを得て、細く軽く強化を得て、安全作業性  経済性に貢献。
【符号の説明】
【０００９】５  混合強力ポリエチレン等。
６  単糸集合体芯。
７  混合集糸束。
７の７  エステル集糸束。
【図１】
2017053070.tif 000003
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
本案は繊維ロープ  組紐の撚りピッチを長く甘く製綱して発生する、引っ張り強度のアップに、撚りピッチを１０％長く甘く製綱で１００ｍが１１０ｍに軽くても強度アップの経済効果の発生と同時に甘く、手応えの無いダラダラで太く膨らみの発生で加工  陸上  漁業作業性、見栄え不良で商品価値下落防止に［図１］に図示のロープ、組紐（エイト８つ打ちロープ）等のストラン（１）の中心に、ロープストラン（１）の中心等に樹脂浸透芯ヤーン（２）挿入しての構成。
【請求項２】
６ｍｍ以下３ｍｍ以下の撚り糸、トワイン等甘撚りピッチ長の場合も［請求項１］の考案適用。  素材がナイロン  ＰＰ  エステルのマルチ、フイラメント等の素材で製綱  撚り糸、トワインの場合  並み普通の撚り数を入れて普通撚りピッチの製綱でも甘くダラダラで手応えの無い場合にも［請求項１］を適用。例えばナイロン  エステルのマルチ、フイラメントの素材等のエイト、ロープ（８つ打ち組み紐）１８ｍｍ程の場合、普通のピッチ撚りでも製綱品の初使用の暫らく、甘く手応え無くダラダラのロープ組み紐の加工性  作業性の不良解消に［請求項１］の考案の適用。
【手続補正２】
【補正対象書類名】明細書
【補正対象項目名】全文
【補正方法】変更
【補正の内容】
【発明の詳細な説明】
【技術分野】
【０００１】繊維ロープ、組み紐等の撚り、ピッチ長く甘く，製綱は、引っ張り強度アップに、軽く仕上がり  経済的な効果は発生しますが反面、手応え無く、ダラダラに膨らみが発生、商品価値下落を防ぐ為、ロープ  組み紐の細差、太差に応じて適量にストラン（１）の中心に水溶性樹脂等浸透芯ヤーン（２）を挿入乾燥してのロープ、組み紐  製綱  案です。
【背景技術】
【０００２】ロープ、組み紐の普通打ちに比べ撚りピッチを長く甘く作る事で、１００ｍが１１０ｍ１２０ｍに成り、分径は１２ｍｍが１１，７ｍｍほどと細く成り、引っ張り強度はアップしますが手応え無くダラダラ、膨らみの発生で加工、作業性不良に見栄えが悪く商品価値下落を防ぐ為、ロープ  組み紐の細差、太差に応じて適量にストラン（１）の中心に水溶性樹脂等浸透芯ヤーン（２）を挿入乾燥して作業  加工  経済性の向上。
【先行技術文献】
【０００３】
【特許文献１】特開  ２００７−２５４９４１号公開  （参考不良）
【特許文献２】特開  ２０１５−０５９２７６号公開  （参考不良）
【発明の概要】
【発明が解決しようとする課題】
【０００４】従来の普通撚りのロープ  組み紐等の撚りピッチを長く、甘打ちに製綱することで生産効率向上  引っ張り強度アップの反面  ロープ組み紐等に甘くダラダラで  手応え無く、膨らみ、加工作業性不良、見栄えが悪く  商品価値下落を防ぐ為、ロープ  組み紐のストラン（１）の中心に水溶性樹脂等浸透芯ヤーン（２）を挿入して、樹脂の自然乾燥でダラダラ膨らみを解消して、手応えを得て，ロープの加工も細物も，太物も加工性、陸上  漁業の作業性、経済性の向上。
【課題を解決するための手段】
【０００５】ロープ  組み紐の撚りピッチを長く甘打ち製綱には製品は細く軽く長く成り、引っ張り強度アップの、反面  手応えの無いダラダラ甘く、膨らみを解消に、ストラン（１）の中心に水溶性樹脂等浸透芯ヤーン（２）を挿入して自然乾燥で手応えを得て、ダラダラ甘く膨らみの解消で  加工性  作業性  経済性の向上。
【発明の効果】
【０００６】ロープ組み紐の撚りピッチを直径１０ｍｍのロープ組み紐の  撚りピッチ１０％  長く甘して１００ｍが１１０ｍに引っ張り強度は約５％アップ  製綱生産効率も約５〜７％アップと経済効果  加工  陸上の作業  漁業の作業性の安全性  経済性の向上。
【図面の簡単な説明】
【０００７】
【図１】  三つ撚りロープの視斜図
【発明を実施するための形態】
【０００８】本案は撚りピッチ長く甘打ちのロープ組み紐等はダラダラ甘く膨らみ手応え無く作業  加工性の不良  商品価値下落を防ぐ為に  ロープ組み紐のストラン（１）の中心に水溶性樹脂等浸透芯ヤーン（２）を挿入乾燥して、ロープ、組み紐等の長く延長結び加工に陸上に漁業の作業の不便を解消して軽く、引っ張り強度アップ、扱い安く、軽くて強化、作業安全  経済性向上。
【符号の説明】
【０００９】１    ロープストランの外側
２    水溶性樹脂等浸透芯ヤーン
【手続補正３】
【補正対象書類名】図面
【補正対象項目名】全図
【補正方法】変更
【補正の内容】
【図１】
2017053070.tif 000004